(57)【要約】【課題】  接続ＰＣで編集したテンプレート画像データを符号化処理して装置本体に記憶させることにより、装置本体のメモリ容量を節約できるようにする。また、装置本体に登録された符号化処理後のテンプレートを用いて画像合成する場合は接続ＰＣを立ち上げずに画像合成する。【解決手段】  原稿読取手段、画像出力手段、テンプレート画像受信手段、符号化処理手段、復号化手段、記憶手段、画像合成手段によって構成され、接続ＰＣにより作成されたテンプレート画像を装置本体に符号化処理後に記憶しておき、操作部により指定されたテンプレートと原稿読取手段によって読取られた画像データを合成する際に装置本体に記憶した符号化されたテンプレート画像を復号化して合成する。【選択図】  図１
2005150879.tif 000002
【特許請求の範囲】
【請求項１】
原稿画像データをフラットベットタイプの原稿読み取り手段によって読取り、画像処理した後に印字出力する、ＰＣと接続可能な画像形成装置において、接続ＰＣによって作成されたテンプレート画像データを受信する手段と、該受信画像データを記憶する第１記憶手段と、該第１記憶手段に記憶したテンプレート画像データに符号化を施す符号化処理手段と、該符号化処理手段による符号データを記憶する第２記憶手段と、画像合成処理時に該第２記憶手段から該符号データを読み出して復号する復号化手段と、該復号化手段により復号した画像データを記憶する第３記憶手段と、該原稿読取手段によって読取った原稿画像データと該第３記憶手段に記憶したテンプレート画像データとを合成する画像合成手段と、該画像合成手段によって合成された合成画像データを出力する画像出力手段と、からなることを特徴とする画像形成装置。
【請求項２】
請求項１において、接続ＰＣから受信したテンプレート画像データを、受信したテンプレート毎に符号化処理して符号データとして装置本体に記憶することを特徴とする画像形成装置。
【請求項３】
原稿画像データをフラットベットタイプの原稿読み取り手段によって読取り、画像処理した後に印字出力する、ＰＣと接続可能な画像形成装置において、接続ＰＣによって作成された第１の画像形式のテンプレート画像データを受信する手段と、該受信手段により受信した画像データを記憶する第１記憶手段と、該第１記憶手段に記憶した画像データを第２の画像形式のテンプレート画像データに変換する変換手段と、該変換手段により変換したテンプレート画像データを記憶する第２記憶手段と、該第２記憶手段に記憶したテンプレート画像データに符号化を施す符号化処理手段と、該符号化処理手段による符号データを記憶する第３記憶手段と、画像合成処理時に該第３記憶手段から該符号データを読み出して復号する復号化手段と、該復号化手段により復号した画像データを記憶する第４記憶手段と、該原稿読取手段によって読取った原稿画像データと該第４記憶手段に記憶したテンプレート画像データとを合成する画像合成手段と、該画像合成手段によって合成された合成画像データを出力する画像出力手段と、からなることを特徴とする画像形成装置。
【請求項４】
請求項３において、接続ＰＣから受信したテンプレート画像データを、受信したテンプレート毎に符号化処理して符号データとして装置本体に記憶することを特徴とする画像形成装置。
【請求項５】
原稿画像データをフラットベットタイプの原稿読み取り手段によって読取り、画像処理した後に印字出力する、ＰＣと接続可能な画像形成装置において、接続ＰＣによって作成されたテンプレート画像データを受信する手段と、該受信画像データを記憶する第１記憶手段と、該第１記憶手段に記憶したテンプレート画像データに符号化を施す符号化処理手段と、該符号化処理手段による符号データをテンプレート毎に複数記憶する第２記憶手段と、該第２記憶手段によって記憶した複数の符号化テンプレート画像データから１つを選択する選択手段と、画像合成処理時に該選択手段により選択された該第２記憶手段に記憶した符号データを読み出して復号する復号化手段と、該復号化手段により復号した画像データを記憶する第３記憶手段と、該原稿読取手段によって読取った原稿画像データと該第３記憶手段に記憶したテンプレート画像データとを合成する画像合成手段と、該画像合成手段によって合成された合成画像データを出力する画像出力手段と、からなることを特徴とする画像形成装置。
【請求項６】
原稿画像データをフラットベットタイプの原稿読み取り手段によって読取り、画像処理した後に印字出力する、ＰＣと接続可能な画像形成装置において、
接続ＰＣによって作成された第１の画像形式のテンプレート画像データを受信する手段と、該受信手段により受信した画像データを記憶する第１記憶手段と、該第１記憶手段に記憶した画像データを第２の画像形式のテンプレート画像データに変換する変換手段と、該変換手段により変換したテンプレート画像データを記憶する第２記憶手段と該第２記憶手段に記憶したテンプレート画像データに符号化を施す符号化処理手段と、該符号化処理手段による符号データをテンプレート毎に複数記憶する第３記憶手段と、該第３記憶手段によって記憶した複数の符号化テンプレート画像データから１つを選択する選択手段と、画像合成処理時に該選択手段により選択された該第３記憶手段に記憶した符号データを読み出して復号する復号化手段と、該復号化手段により復号した画像データを記憶する第４記憶手段と、該原稿読取手段によって読取った原稿画像データと該第４記憶手段に記憶したテンプレート画像データとを合成する画像合成手段と、該画像合成手段によって合成された合成画像データを出力する画像出力手段と、
からなることを特徴とする画像形成装置。
【発明の詳細な説明】
【技術分野】
【０００１】
本発明はパーソナルコンピュータに接続可能なコピー機能、スキャナ機能、プリント機能及びカラー原稿、白黒原稿の送受信機能を備えた周辺機器であり、特にスキャナ部をフラットベットタイプのスキャナにより構成した画像形成機器に関する。
【背景技術】
【０００２】
従来のフラットベットタイプのカラーファクシミリ装置（以下、従来装置と称する）の外観図を図６に示す。図６において１は従来装置本体、２はフラットベットタイプのスキャナ部、３は前記スキャナ部２の一部であり原稿を押さえる圧板、４は従来装置に対して印字用紙を設定する給紙部、５は従来装置の動作指示を行う操作部である。また、従来装置の内部構成を表す図を図１に示す。図１において、１０は従来装置全体を示すものであり、２０は従来装置１０に接続されるパーソナルコンピュータ（以下、ＰＣと称する）である。従来装置１０の内部構成中、１０１は従来装置全体を制御する中央演算制御装置（以下、ＣＰＵと称する）、１０２は従来装置の動作モード、起動指示等を与える操作部であり、例えば複数のキーで構成されるオペレーションパネルにより構成される。１０３は従来装置の動作状況や動作メニューを表示する表示部であり、例えばＬＣＤ等により構成される。１０４は原稿読取部であり、コンタクトセンサ或いはＣＣＤ等により構成され、ＬＥＤの点灯制御或いは光源切換え等により原稿台に設定された画像データの読み取りを行う。１０５は原稿読取部１０４により読み取った画像データの補正係数及び読み取った画像データを一時記憶するメモリ、１０６は原稿読取部１０４によって読み取られた画像データに対して画像処理を行う画像処理部であり、エッジ強調等のフィルタ処理、出力解像度に合わせるための解像度変換処理、輝度信号を濃度信号、即ちシアン（以下Ｃ）、マゼンタ（以下Ｍ）、イエロー（以下Ｙ）に変換するための輝度濃度変換処理、変換されたＣ，Ｍ，Ｙ信号を適正な値に補正するマスキング処理等がある。１０７は画像処理部１０６が画像処理する際に使用するメモリ、１０８は送信時には画像処理部１０６が処理した画像データに符号化処理を施し、受信時には通信回線を介して送信されてくる符号データに復号化処理を施す符号復号化部である。符号復号化部１０８で行う符号復号化処理はＪＰＥＧ（Joint  Photographic  Experts  Group）或いはJBIG(Joint  Bi-lebel  Image  experts  Group)による符号復号化方式や、MR符号化方式、MH符号化方式、MMR符号化方式等がある。
【０００３】
１０９は送信時、符号復号化部１０８により符号化された符号データを記憶し、受信時には通信回線から送られてくる符号データを記憶するメモリ、１１０は通信回線を制御する通信制御部である。１１１は画像出力部であり、画像処理部１０６によって処理された画像データの記録を行う。記録部を構成する方式としては、印字にインクを使用するインクジェット方式とトナーを使用するレーザビーム方式があり、前者はコストを抑えることが可能な印字方式であり、後者は高品位な印字を行うことが可能な印字方式である。１１２は画像出力部１１１が使用するメモリであり、印字画像データ或いは印字に必要なパラメータ等を記憶する。１１３は一般公衆通信回線である。
【０００４】
１１４は従来装置と外部接続ＰＣとの接続部であるＰＣｉ／ｆ部、１１５はＰＣｉ／ｆ部１１４と外部接続ＰＣとを接続するｉ／ｆであり、例えばＩＥＥＥ１２８４による双方向ｉ／ｆ或いはＵＳＢ（Universal  Serial  Bus）ｉ／ｆにより構成される。
【０００５】
以下、添付図面を参照して従来装置の画像合成時の動作フローに関して説明する。図２に本発明の初期動作時の動作フローを示す。使用者は接続ＰＣにて画像合成する元の画像データとしてテンプレートを作成する。図7に作成するテンプレートの一例を示す。図７に示す通り、ＰＣ２０を使用して作成するテンプレートは（ａ）、（ｂ）、（ｃ）のようなスタンプ形式でも良いし、（ｄ）のような文書形式でも良い。更に（ｅ）や（ｆ）のような書式形式でも良い。使用者は図7の（ａ）から（ｆ）に代表されるテンプレートをＰＣ２０により作成すると、作成したテンプレートを従来装置に登録する。即ち、従来装置はＰＣ２０から出力されるテンプレート画像データをＰＣｉ／ｆ部１１５を介して受信する（ステップＳ２０１）。ＰＣｉ／ｆ部１１４はｉ／ｆ部１１５により送られてくるテンプレート画像データをメモリ１０７に記憶させる。ＣＰＵ１０１はメモリ１０７に記憶されたテンプレート画像データの形式を確認する。メモリ１０７に記憶されたテンプレート画像データがキャラクタで構成されている場合或いはビットマップ形式で構成されている場合は、前記キャラクタテンプレート画像データ或いはビットマップテンプレート画像データを、メモリ１０７に画素毎に値を持つイメージの画像データとして展開し、受信したテンプレート画像データを記憶した領域とは別の領域に記憶させる。
【０００６】
ＣＰＵ１０１は受信したテンプレートを受信テンプレート毎にメモリ１０７に登録する（ステップＳ２０２）。ＣＰＵ１０１による各受信テンプレートの識別は、ＰＣ２０からのテンプレート画像データ送信の際、テンプレート画像データの前にインディックス或いは名称を付加することで行う。次に従来装置の原稿台の上に、合成する画像データ、即ち文書化されている画像データを設定する（ステップＳ２０３）。画像データの設定後、使用者により、図示しない操作部１０２上のコピー動作起動キーが押下されると、従来装置は原稿の画像データの読み取りを開始する（ステップＳ２０４、ステップＳ２０５）。原稿読取部１０４は原稿の画像データを順次読み取り、メモリ１０５を使用しながら画像出力部１０６に出力する。画像処理部１０６は送られてくる原稿の読み取り画像データをメモリ１０７に記憶させる。この時、ＰＣ２０によって送られてきたメモリ１０７に展開済みのイメージ画像データに読み取った原稿画像データを重ねることを行う。即ち、ＰＣ２０によって送られてきた画像データの各画素に対応する読み取り画像の各画素データを足し合わせることで画像合成を実現する（ステップＳ２０６）。
【０００７】
合成された画像データは画像出力部１１１に転送される。画像出力部１１１は画像処理部１０６から転送されてくる画像データを順次出力する（ステップＳ２０７）。従来装置は合成後の全ての画像データの出力が終了するまで前記ステップ２０５からステップＳ２０７までの処理を繰り返し実行することで合成画像データの出力を行う。
【０００８】
次に従来装置にあらかじめテンプレートデータが登録されている場合の画像合成処理動作に関して説明する。図３に従来装置の第２例の動作フローを示す。第２例においては、テンプレートがあらかじめ装置本体に登録されているため、ＰＣ２０が電源オフの状態での動作も可能である。使用者によって、従来装置に登録されているテンプレートが選択されると、従来装置は画像編集動作を開始する（ステップ３０１）。この場合の選択方法の一例を図９に示す。図９において２０１は操作部１０２に構成したＬＣＤ等の表示部、２０２はテンプレートを使用するか否かを選択するキー、２０３は選択キー２０２が押下される毎に点灯、消灯が切り替わるＬＥＤであり、点灯時にはテンプレートを使用することを示す。２０４及び２０５は表示部２０１に表示されたメニュー中の選択番号を指定する指定キーである。使用者が例えば図7（ａ）に示したテンプレートを指定する場合は指定キー２０４或いは２０５を押下して、表示部２０１上の反転色を“シャガイヒ”に指定することでテンプレートの指定を行う。テンプレートの選択後、原稿台に原稿が設定され、コピー起動キーが押下されると従来装置は画像編集動作を開始する。即ち、ＣＰＵ１０１はメモリ１０７に対して、指定キー２０４及び２０５により指定されたテンプレートデータを画素毎に値を持つイメージデータに展開する。また、原稿読取部１０４は原稿の画像データの読み取りを行う（ステップＳ３０４）。原稿読取部１０４によって読取られた原稿画像データは画像処理部１０６に出力される。画像処理部１０６は原稿読取部１０４によって読取られた画像データに対して画像処理を施し、メモリ１０７に記憶する。この時、第１例でも示した通り、各画素位置に対応する画素毎に足し合わせることで画像合成を行う（ステップ３０５）。画像合成された画像データは画像出力部１１１に出力される（ステップＳ３０６）。従来装置は原稿台に設定された全原稿画像データの画像合成及び画像出力が終了するまで前記ステップＳ３０４からステップＳ３０６までの処理を繰り返し行うことで合成画像データの出力を行う。
【０００９】
合成画像データの出力を行う技術の例として特許文献１と特許文献２がある。
【特許文献１】特開2000‐20271号公報
【特許文献２】特開平09‐86015号公報
【発明の開示】
【発明が解決しようとする課題】
【００１０】
しかしながら、上記従来装置においては、接続ＰＣにて生成したテンプレート原稿データをそのまま装置本体中のメモリに記憶するため、多数のテンプレートを装置本体に記憶するには大容量のメモリを構成しなければならないという問題点がある。
【課題を解決するための手段】
【００１１】
本発明は上記問題点を解決することを目的としたものであり、解決する手段として、接続ＰＣによって作成されたテンプレート画像データを受信する手段と、該受信画像データを記憶する第１記憶手段と、該第１記憶手段に記憶したテンプレート画像データに符号化を施す符号化処理手段と、該符号化処理手段による符号データを記憶する第２記憶手段と、画像合成処理時に該第２記憶手段から該符号データを読み出して復号する復号化手段と、該復号化手段により復号した画像データを記憶する第３記憶手段と、該原稿読取手段によって読取った原稿画像データと該第３記憶手段に記憶したテンプレート画像データとを合成する画像合成手段と、該画像合成手段によって合成された合成画像データを出力する画像出力手段とを設けたものである。
【発明の効果】
【００１２】
以上、説明したように本発明によれば、接続ＰＣで作成したテンプレートを装置本体のメモリに符号化処理した後に記憶させ、画像合成時に復号化処理してメモリ上で展開し、原稿台の画像データと合成を行わせることが出来るので、テンプレートを記憶するメモリ容量を節約できるという効果がある。また、一度装置本体に登録した符号化処理後のテンプレートを使用して画像合成を行う場合は、操作部の指定のみで原稿画像データとの合成が出来るので、合成を行わせる際にＰＣを立ち上げる必要がないという効果がある。
【発明を実施するための最良の形態】
【００１３】
（作用）
接続ＰＣで編集したテンプレート画像データを符号化処理して装置本体に記憶させることにより、装置本体のメモリ容量を節約できるようにしたものである。また、装置本体に登録された符号化処理後のテンプレートを用いて画像合成する場合は接続ＰＣを立ち上げることなく画像合成することを可能にしたものである。
【実施例１】
【００１４】
以下、添付図面を参照して本発明を詳細に説明する。なお、本発明における装置の構成は従来装置と同様、図１の構成であるためここでの説明は省略する。図４に本発明の初期動作時の動作フローを示す。本発明の使用者は接続ＰＣにて画像合成する元の画像データとしてテンプレートを作成する。図７に作成するテンプレートの一例を示す。従来例と同様にＰＣ２０を使用して作成するテンプレートは（ａ）、（ｂ）、（ｃ）のようなスタンプ形式でも良いし、（ｄ）のような文書形式でも良い。更に（ｅ）や（ｆ）のような書式形式でも良い。使用者は図7の（ａ）から（ｆ）に代表されるテンプレートを作成すると、作成したテンプレートを本発明装置に登録する。即ち、本発明装置はＰＣ２０から出力されるテンプレート画像データをＰＣｉ／ｆ部１１５を介して受信する（ステップＳ4０１）。
【００１５】
ＰＣｉ／ｆ部１１４はｉ／ｆ部１１５により送られてくるテンプレート画像データをメモリ１０７に記憶させる。ＣＰＵ１０１はメモリ１０７に記憶されたテンプレート画像データの形式を確認する。メモリ１０７に記憶されたテンプレート画像データがキャラクタで構成されている場合或いはビットマップ形式で構成されている場合は、前記キャラクタテンプレート画像データ或いはビットマップテンプレート画像データを、メモリ１０７に画素毎に値を持つイメージの画像データとして展開し、受信したテンプレート画像データを記憶した領域とは別の領域に記憶させる。ＣＰＵ１０１による各受信テンプレートの識別は、ＰＣ２０からのテンプレート画像データ送信の際、テンプレート画像データの前にインディックス或いは名称を付加することで行う。
【００１６】
次にＣＰＵ１０１はメモリ１０７に記憶させた展開画像データを符号復号化部１０８に転送する。符号復号化部１０８はメモリ１０７から転送されてくる画像データに対して符号化処理を施す（ステップＳ４０２）。符号復号化部１０８は、ＰＣ２０から送信されるテンプレート画像データがカラー画像データである場合はＪＰＥＧ等のカラー画像に好適な符号化処理を施し、白黒画像で構成されるテンプレート画像データである場合はＪＢＩＧ、ＭＨ、ＭＲ、ＭＭＲ等の白黒画像に好適な符号化処理を施す。また、前記符号化方法を施すのではなくテンプレート画像データの属性によらず、完全に元画像データに復号できる可逆符号化を行っても良い。符号復号化部１０８により生成される符号データはメモリ１０７に再記憶することでテンプレート登録を行う（ステップＳ４０３）。画像データの設定後、使用者により、図示しない操作部１０２上のコピー動作起動キーが押下されると、本発明装置は原稿の画像データの読み取りを開始する（ステップＳ4０４、ステップＳ4０５）。原稿読取部１０４は原稿の画像データを順次読み取り（ステップＳ４０６）、メモリ１０５を使用しながら画像処理部１０６に出力する。画像処理部１０６は送られてくる原稿の読み取り画像データをメモリ１０７に記憶させる。また、ＣＰＵ１０１はメモリ１０７に記憶し、ＰＣ２０から受信した符号化済みのテンプレート画像データを順次、符号復号化処理部１０８に転送する。符号復号化部１０８は転送される符号データに復号化処理を施し、再度メモリ１０７に復号画像を展開する（ステップＳ４０７）。符号データを復号化して再展開する領域は、前記受信テンプレート画像データの保存領域及び原稿読取部１０４で読取った画像データを記憶する領域とは別の領域に対して実施する。画像処理部１０６はメモリ１０７に記憶した原稿読取部１０４によって読取られた画像データと、同じくメモリ１０７に記憶したテンプレート画像の復号画像データを読み取って画像合成を行う。即ち、ＰＣ２０によって送られてきたメモリ１０７に復号展開済みのイメージ画像データに読み取った原稿画像データを重ねることを行う。画像合成の手法は従来例と同様、ＰＣ２０によって送られてきた画像データの各画素に対応する読み取り画像の各画素データを足し合わせることで画像合成を実現する（ステップＳ４０８）。
【００１７】
合成された画像データは画像出力部１１１に転送される。画像出力部１１１は画像処理部１０６から転送されてくる画像データを順次出力する（ステップＳ4０9）。本発明装置は合成後の全ての画像データの出力が終了するまで前記ステップＳ４０６からステップＳ４０９までの処理を繰り返し実行することで合成画像データの出力を行う（ステップＳ４１０）。
【００１８】
なお、第１実施例の説明においてはメモリ１０５、メモリ１０７、メモリ１０９、メモリ１１２をそれぞれの処理部毎に構成するようにしたが、本発明装置のメモリ構成は前記構成に限定されるものではない。即ち、メモリ部の構成を１つとして、各処理部が時分割にアクセスするようにしても良い。また、本説明において、接続ＰＣ２０から本発明装置に転送するテンプレートの画像データはキャラクタ画像データ或いはビットマップの画像データとしたが、本発明装置は前記画像データに限定されるものではなく、接続ＰＣからダイレクトにイメージ画像データが登録されるようにしても良い。更に、原稿読取部の機能として、原稿の画像データをビットマップ画像データとして読み取ることが出来る場合はメモリ上で読取ったビットマップ画像データとビットマップのテンプレート画像とで直接合成する構成としても良い。また、本実施例においては原稿台の画像データの読み取りを行いながら復号テンプレート画像と合成する場合について説明したが、本発明は前記例に限定されるものではない。即ち、原稿読取部で読み取る画像データ及び復号テンプレート画像データを十分に記憶可能なメモリを具備している場合は、原稿台の画像データの読み取り終了後に一括して画像合成を行うように構成しても良い。
【実施例２】
【００１９】
次に本発明装置の第２実施例に関して説明する。前記第１実施例では本発明装置に登録されているテンプレートが１つもない場合の動作に関して説明したが、本発明装置の動作は前記例に限定されるものではない。即ち、本発明装置にあらかじめテンプレートデータが登録されている場合でも同様の機能を実現できる。図５に本発明装置の第２実施例の動作フローを示す。本第２実施例においては、テンプレートがあらかじめ装置本体に登録されているので、ＰＣ２０が電源オフの状態であっても機能の実現に支障はない。使用者によって、本発明装置に登録されているテンプレートが選択されると、本発明装置は画像編集動作を開始する（ステップＳ５０１）。この場合の選択方法の一例を図８に示す。図８において２０１は操作部１０２に構成したＬＣＤ等の表示部、２０２はテンプレートを使用するか否かを選択するキー、２０３は選択キー２０２が押下される毎に点灯、消灯が切り替わるＬＥＤであり、点灯時にはテンプレートを使用することを示す。２０４及び２０５は表示部２０１に表示されたメニュー中の選択番号を指定する指定キーである。使用者が例えば図７（ａ）に示したテンプレートを指定する場合は指定キー２０４或いは２０５を押下して、表示部２０１上の反転色を“シャガイヒ”に指定することでテンプレートの指定を行う。テンプレートの選択後、原稿台に原稿が設定され、コピー起動キーが押下されると本発明装置は画像編集動作を開始する（ステップＳ５０２，ステップＳ５０３）。即ち、ＣＰＵ１０１はメモリ１０７から指定キー２０４及び２０５により指定されたテンプレートの符号データを符号復号化部１０８に転送する。転送された符号データは符号復号化部１０８で復号化処理される（ステップＳ５０４）。前記復号化処理によって生成される復号画像は、画素毎に値を持つイメージデータとして再度メモリ１０７に記憶する。また、原稿読取部１０４は原稿の画像データの読み取りを行う（ステップＳ５０５）。原稿読取部１０４によって読み取られた原稿画像データは画像処理部１０６に出力される。画像処理部１０６は原稿読取部１０４によって読取られた画像データに対して、復号されたテンプレート画像に対応させて画像合成処理を施す。画像合成処理により生成された合成画像データはメモリ１０７に記憶される。この時の画像合成は第１実施例でも示した通り、各画素位置に対応する画素データ毎に足し合わせを行うことにより実施する（ステップＳ５０６）。画像合成された画像データは画像出力部１１１に出力される（ステップＳ５０７）。本発明装置は原稿台に設定された全原稿画像データの画像合成及び画像出力が終了するまで前記ステップＳ５０４からステップＳ５０７までの処理を繰り返し行うことで合成画像データの出力を行う。
【００２０】
なお、本第２実施例の説明においても前記第１実施例と同様、メモリ１０５、メモリ１０７、メモリ１０９、メモリ１１２をそれぞれの処理部毎に構成するようにしたが、本発明装置のメモリ構成は前記構成に限定されるものではない。即ち、メモリ部の構成を１つとして、各処理部が時分割にアクセスするようにしても良い。また、本説明において、接続ＰＣ２０から本発明装置に転送するテンプレートの画像データはキャラクタ画像データ或いはビットマップの画像データとしたが、本発明装置は前記画像データに限定されるものではなく、接続ＰＣから直接イメージ画像データが登録されるようにしても良い。更に、原稿読取部の機能として、原稿の画像データをビットマップ画像データとして読み取ることが出来る場合は、メモリ上で読取ったビットマップ画像データとビットマップのテンプレート画像とで直接合成する構成としても良い。また、本実施例においても原稿台の画像データの読み取りを行いながら復号テンプレート画像と合成する場合について説明したが、本発明は前記例に限定されるものではない。即ち、原稿読取部で読み取る画像データ及び復号テンプレート画像データを十分に記憶可能なメモリを具備している場合は、原稿台の画像データの読み取り終了後に一括して画像合成を行うように構成しても良い。
【図面の簡単な説明】
【００２１】
【図１】従来装置及び本発明装置の構成を表す図である。
【図２】従来装置の第１の画像合成時の処理フローである。
【図３】従来装置の第２の画像合成時の処理フローである。
【図４】本発明装置の第１の画像合成時の処理フローである。
【図５】本発明装置の第２の画像合成時の処理フローである。
【図６】従来装置及び本発明装置の外観を示す図である。
【図７】本発明装置におけるテンプレート構成図である。
【図８】本発明装置におけるテンプレート選択手法の一例である。
【符号の説明】
【００２２】
１０１  ＣＰＵ
１０２  操作部
１０３  表示部
１０４  原稿読取部
１０５，１０７，１０９，１１２  メモリ
１０６  画像処理部
１０８  符号復号化部
１１０  通信制御部
１１１  画像出力部
１１３  通信回線
１１４  ＰＣｉ／ｆ部
１１５  ｉ／ｆ部
【図１】
2005150879.tif 000003
【図２】
2005150879.tif 000004
【図３】
2005150879.tif 000005
【図４】
2005150879.tif 000006
【図５】
2005150879.tif 000007
【図６】
2005150879.tif 000008
【図７】
2005150879.tif 000009
【図８】
2005150879.tif 000010